(57)【特許請求の範囲】
【請求項１】
マウス本体、光学式検知モジュール及び防塵カバーを含み、
前記マウス本体は、内部に収容空間を有しており、前記収容空間の下方に前記収容空間から前記マウス本体の外側に貫通した貫通孔を有し、前記貫通孔は凹状の係合部を有し、
前記光学式検知モジュールは、前記収容空間に収容されており、光送信器、光学レンズ群及び光受信器を備え、
前記光発信器は光学レンズ群と対向し、前記光受信器は前記貫通孔と対向し、前記光学レンズ群は前記光発信器と前記光受信器との間に設けられ、
前記防塵カバーは、前記貫通孔に設けられており、透明板、第１のコーティング層及び印刷部を備え、
前記第１のコーティング層は前記透明板の一方の面に設けられ、前記印刷部は前記第１のコーティング層の外側周縁に設けられ、かつ前記貫通孔の前記係合部に接着される
ことを特徴とする光学式防塵マウス。
【請求項２】
前記透明板はガラス板又はアクリル板であることを特徴とする請求項１に記載の光学式防塵マウス。
【請求項３】
前記光送信器は発光ダイオードであることを特徴とする請求項１に記載の光学式防塵マウス。
【請求項４】
前記光送信器が発する光の波長は４００ｎｍ〜７００ｎｍであることを特徴とする請求項１に記載の光学式防塵マウス。
【請求項５】
前記防塵カバーは第２のコーティング層を更に有し、
前記第２のコーティング層は、前記透明板における前記第１のコーティング層が設けられてある一方の面と対向する他方の面に設けられることを特徴とする請求項１に記載の光学式防塵マウス。
【請求項６】
前記第１のコーティング層と前記第２のコーティング層の屈折率は前記透明板の屈折率よりも小さいことを特徴とする請求項５に記載の光学式防塵マウス。
【請求項７】
前記第１のコーティング層と前記第２のコーティング層の材料は二酸化ケイ素（ＳｉＯ２）、二酸化チタン（ＴｉＯ２）、又はフッ化マグネシウム（ＭｇＦ２）であることを特徴とする請求項５に記載の光学式防塵マウス。
【発明の詳細な説明】
【技術分野】
【０００１】
本発明は、マウスに関するものであり、特に防塵カバーを有する光学式防塵マウスに関するものである。
【背景技術】
【０００２】
光学式マウスは、パソコンへの入力信号を制御するためのものであるため、パソコンにとって重要な入力装置である。光学マウスは、物体の表面に置かれて、光学式検知モジュールによりその物体の表面のイメージを取得し、更にマウスの移動により取得した表面のイメージの変動に従い、表示装置の画面におけるカーソルをそれに対応して移動させる。表示装置の画面におけるカーソルの感知度と確度は、光学マウスの光学式検知モジュールが物体の表面のイメージを確実に取得するか否かに関わる。
【発明の概要】
【発明が解決しようとする課題】
【０００３】
従来の光学式マウスの底部に設けられた光学式検知モジュールは、物体の表面との間に何の遮蔽物がないことから、光学式マウスの使用時間に伴い塵などの不潔物が付着しやすいため、表示装置の画面におけるカーソルの感知度と確度を低減させるという欠点が存在する。
【０００４】
そこで、本発明の出願人は、上述の欠点を改善するために、鋭意検討を行なった結果、上述の欠点を有効に解決することができる、有利な構成を有する本発明を完成するに至った。
【課題を解決するための手段】
【０００５】
本発明の目的は、光学式検知モジュールに塵などの不潔物が付着することで光学式検知モジュールが物体の表面のイメージを確実に取得できない不具合により表示装置の画面におけるカーソルの感知度と確度を低減させるという欠点を解消できる光学式防塵マウスを提供することにある。
【０００６】
本発明に係る光学式防塵マウスは、マウス本体、光学式検知モジュール及び防塵カバーを含む。マウス本体は、内部に収容空間を有する。収容空間の下方には収容空間からマウス本体の外側に貫通した貫通孔を有する。光学式検知モジュールは、収容空間に収容されており、光送信器、光学レンズ群及び光受信器を備える。光発信器は光学レンズ群と対向する。光受信器は貫通孔と対向する。光学レンズ群は、光発信器と光受信器との間に設けられる。防塵カバーは、貫通孔に設けられており、透明板と第１のコーティング層を備える。第１のコーティング層は透明板の一方の面に設けられる。
【発明の効果】
【０００７】
本発明に係る光学式防塵マウスは、光学式検知モジュールとマウス本体の外側との間に防塵カバーが設けられるため、光学式検知モジュールに塵などの不潔物が付着することで光学式検知モジュールが物体の表面のイメージを確実に取得できない不具合により表示装置の画面におけるカーソルの感知度と確度を低減させるという欠点を解消できる。
【図面の簡単な説明】
【０００８】
【図１】本発明に係る光学式防塵マウスの立体分解図を示すものである。
【図２】本発明に係る光学式防塵マウスの立体図を示すものである。
【図３】本発明に係る光学式防塵マウスの光学式検知モジュールの断面図を示すものである。
【図４】本発明に係る光学式防塵マウスの防塵カバーの断面図を示すものである。
【発明を実施するための形態】
【０００９】
図１〜図３に示すように、本発明に係る光学式防塵マウスは、マウス本体１、光学式検知モジュール２及び防塵カバー３を含む。
【００１０】
マウス本体１の内部には収容空間１１を有する。収容空間１１の下方には収容空間１１からマウス本体１の外側に貫通した貫通孔１２が設けられる。マウス本体１の下方には複数のパッド部１３を有する。貫通孔１２は凹状の係合部１２１を有する。防塵カバー３は係合部１２１に固定される。パッド部１３は、マウスの高さを増加させることによってマウスの下方にある防塵カバー３又は他の部品とマウスが置かれる物体の表面との摩擦による部品の損傷を防ぐことができる。
【００１１】
光学式検知モジュール２は収容空間１１に収容される。光学式検知モジュール２は、光送信器２１、光学レンズ群２２及び光受信器２３を含む。光送信器２１は光学レンズ群２２と対向する。光受信器２３はマウス本体１の貫通孔１２と対向する。光学レンズ群２２は光送信器２１と光受信器２３との間に設けられる。光送信器２１として、本実施例において発光ダイオード（ＬＥＤ）を使用するが、これに限定されるものではなく、例えばレーザーなどを使用してもよい。また、好ましくは、光送信器２１が発する光の波長範囲は可視光の波長範囲である４００ｎｍ（ナノメートル）〜７００ｎｍである。
【００１２】
図１と図４に示すように、防塵カバー３はマウス本体１の貫通孔１２に設けられる。防塵カバー３は、透明板３１、第１のコーティング層３２、第２のコーティング層３３及び印刷部３４を備える。第１のコーティング層３２は、透明板３１の一方の面に設けられる。印刷部３４は、第１のコーティング層３２の外側周縁に設けられており、美観を向上させる効果を有する。印刷部３４には貫通孔１２の係合部１２１に接着するための粘着材料が塗布される。防塵カバー３はマウス本体１の貫通孔１２の係合部１２１に接着される。本実施例において、透明板３１はアクリル板であるが、これに限定されるものではなく、例えばガラス板などの高光透過率を有するものであってもよい。防塵カバー３にコーティング層を設ける目的は、防塵カバー３の光透過率を向上させることにある。そこで、防塵カバー３の光透過率をより向上させるために、透明板３１の一方の面に第１のコーティング層３２が設けられ、透明板３２の他方の面に第２のコーティング層３３が設けられるようにしてもよい。第１のコーティング層３２と第２のコーティング層３３の屈折率は透明板３１の屈折率よりも小さい。本実施例において、第１のコーティング層３２と第２のコーティング層３３の材料は、二酸化ケイ素（ＳｉＯ２）、二酸化チタン（ＴｉＯ２）、又はフッ化マグネシウム（ＭｇＦ２）であってもよい。
【００１３】
本発明に係る光学式防塵マウスは、マウスの移動を検知する場合、先ず、光学式検知モジュール２の光送信器２１により光を光学レンズ群２２に照射すると、光が光学レンズ群２２で複数回にわたって反射・屈折されてから、防塵カバー３を透過して光学防塵マウスが置かれる物体の表面に当たって反射され、再び防塵カバー３を透過して光受信器２３に入射される。これにより、光学式検知モジュール２は、光学式防塵マウスの移動に従い光学式防塵マウスが置かれる物体の表面のイメージを取得して、光学式防塵マウスの移動により取得した、物体の表面のイメージの変動に基づいて、光学式防塵マウスの移動状態を判定することができる。
【００１４】
一般的に、光がある媒体（medium）から他の媒体に入り込む時、一部の光は境面で反射され、一部の光は境面を透過する。アクリル板を例として説明すると、光が大気環境からアクリル板に入り込む時、４％の光はアクリル板で反射され、９６％の光はアクリル板を透過する。反射された光が多すぎると、不必要な散乱光が生ずるため、光受信器２３が物体の表面のイメージを取得するのを妨害するという問題点がある。
【００１５】
一方、光が透明物質を透過する場合、透明物質の内部に微細な粒子が存在すると、光が四方八方に乱射される結果、散乱現象が生ずる。散乱現象は、光の損失と光の干渉などの不具合をもたらすため、光受信器２３が物体の表面のイメージを取得するのを妨害するという問題点がある。
【００１６】
光が防塵カバー３を二回に往復して透過した場合、光は防塵カバー３の上表面と下表面で四回に反射されて防塵カバー３を二回に透過したため、光が損失することによって光透過率が低すぎると共に反射率が高すぎるようになってしまい、引いて光受信器２３が取得した物体の表面のイメージの確度を低減させるという問題点がある。
【００１７】
そこで、防塵カバー３の透過率を向上させるために、本発明の防塵カバー３の表面にはコーティング層が設けられる。電磁学の基本原理によれば、光が媒介質ｎ１から媒介質ｎ２に垂直に入射する場合、異なる媒体の透過率と反射率を表す数式は、数式１の通りである。
【００１８】
【数１】
0005460784.tif 000002
【００１９】
典型的には、コーティング層の材料はフッ化マグネシウム（ＭｇＦ２）であり、その屈折率が１．３５であり、その大気の屈折率が１．０であり、アクリルの屈折率が１．５である。上記の数字を数式１に代入すると、下記の結果が得られる。
光が大気から直接アクリルに入射する場合、反射率＝４％、透過率＝９６％。
光が大気からコーティング層を透過してアクリルに入り込む場合、反射率＝０．３％、透過率＝９９．７％。
【００２０】
上述の記載から分かるように、コーティング層を有する防塵カバー３は、光を透過させる透過率を大幅に向上でき、散乱光により光受信器２３が取得した物体の表面のイメージの確度を低減させるという不具合を低減することができる。
【００２１】
また、光がコーティング層の上表面と下表面を透過する際にそれぞれ生じた反射光の位相差が１／２波長（即ち、逆位相）になるように、コーティング層の厚さを調節してもよい。これにより、二つの反射光に相殺的干渉（destructive interference）を発生させることによって反射光を相殺させることができるため、反射防止効果（antireflection effect）を達成することができる。
【００２２】
コーティング層の製造方法は例えば物理的気相成長法（physical vapor deposition、ＰＶＤ）などを使用してもよい。物理的気相成長法を使用する場合、コーティング材料を固体状態から気体状態又はイオン状態に変化させ、気体状態又はイオン状態の材料を蒸着源から蒸着環境を介して透明板３１の表面に堆積させることでコーティング層を生成する。また、コーティング層が高純度を有するように、コーティング層を製造するプロセスは高真空環境（１０−５ｔｏｒｒ）で行う。
【００２３】
また、本発明において、防塵カバー３の一側をマウス本体１に接着で固定するため、防塵カバー３が傷ついたり汚れたりするようになった時、防塵カバー３を取り外して新品の防塵カバー３に取り替えることによって、常に防塵カバー３に最良な光透過率を維持させることができる。
【００２４】
本発明に係る光学式防塵マウスでは、光学式検知モジュール２とマウス本体１の外側との間に防塵カバー３が設けられるため、光学式検知モジュール２に塵などの不潔物が付着することで光学式検知モジュール２が物体の表面のイメージを確実に取得できない不具合により表示装置の画面におけるカーソルの感知度と確度を低減させるという欠点を解消できる。
【００２５】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００２６】
１  マウス本体
１１  収容空間
１２  貫通孔
１２１  係合部
１３  パッド部
２  光学式検知モジュール
２１  光送信器
２２  光学レンズ群
２３  光受信器
３  防塵カバー
３１  透明板
３２  第１のコーティング層
３３  第２のコーティング層
３４  印刷部
【図１】
0005460784.tif 000003
【図２】
0005460784.tif 000004
【図３】
0005460784.tif 000005
【図４】
0005460784.tif 000006